(57)【要約】【課題】テレビジョン受像機において、スタンバイモードで動作している場合であってもネットワークの変更をユーザに報知可能にする。【解決手段】ＴＶ受像機は、ＬＥＤと、チューナ部と、受信間隔時間が記憶されるメモリと、制御用マイコンとを備える。制御用マイコンは、スタンバイモードや通常モードで動作する。制御用マイコンは、スタンバイモードで動作中に（Ｓ１）、メモリ内に受信間隔時間として記憶された時間が経過した時（Ｓ２でＹＥＳ）、チューナ部を用いてデジタル放送信号を受信する（Ｓ３）。そして、制御用マイコンは、デジタル放送信号のトランスポートストリームからＮＩＴ情報を取得し（Ｓ４）、ＮＩＴ情報内の記述子に基づいてネットワーク変更の有無を判断する（Ｓ５）。この判断の結果、変更がある場合、つまり上記記述子の内容が妥当である場合（Ｓ６でＹＥＳ）、ＬＥＤを点灯させ（Ｓ７）、ネットワークの変更をユーザに報知する。【選択図】図３
2010283431.tif 000002
【特許請求の範囲】
【請求項１】
放送局から配信されるデジタル放送信号を受信する受信手段と、
前記受信手段によって受信されたデジタル放送信号のトランスポートストリームからＮＩＴ（Ｎｅｔｗｏｒｋ  Ｉｎｆｏｒｍａｔｉｏｎ  Ｔａｂｌｅ）情報を抽出するＮＩＴ情報抽出手段と、
前記ＮＩＴ情報抽出手段によって抽出された前記ＮＩＴ情報内にネットワークの変更を通知する旨の通知情報が有るか否かを判断するネットワーク変更通知情報判断手段と、
各種メッセージをユーザに報知する報知手段と、
通常動作モードとスタンバイモードとを有し、装置各部を制御する制御手段とを備えるテレビジョン受像機において、
前記制御手段は、前記スタンバイモードで動作している際に、前記受信手段を用いてデジタル放送信号を受信し、前記ＮＩＴ情報抽出手段を用いて前記ＮＩＴ情報を抽出した後、前記ネットワーク変更通知情報判断手段を用いて該ＮＩＴ情報内に前記通知情報が有るか否かを判断し、この判断の結果、該通知情報が有る場合、前記報知手段を用いてユーザに、ネットワークの変更を報知することを特徴とするテレビジョン受像機。
【請求項２】
前記通知情報は、ＤＶＢ  ＳＩ（Ｄｉｇｉｔａｌ  Ｖｉｄｅｏ  Ｂｒｏａｄｃａｓｔ  Ｓｅｒｖｉｃｅ  Ｉｎｆｏｒｍａｔｉｏｎ）規格に基づく記述子であることを特徴とする請求項１に記載のテレビジョン受像機。
【請求項３】
前記報知手段は、前記テレビジョン受像機の筐体外部に露出するように設けられた発光手段であり、
前記制御手段は、前記スタンバイモードで動作している際に、前記ネットワーク変更通知情報判断手段を用いて前記ＮＩＴ情報内に前記通知情報があると判断した場合、前記発光手段を点灯又は点滅させることにより、ネットワークの変更をユーザに報知することを特徴とする請求項１又は請求項２に記載のテレビジョン受像機。
【発明の詳細な説明】
【技術分野】
【０００１】
本発明は、ネットワークの変更をユーザに報知可能なテレビジョン受像機に関する。
【背景技術】
【０００２】
近年、例えば英国のデジタルテレビ放送においては、ネットワークの変更を通知するための通知情報を含むトランスポートストリームが配信されている。この種のトランスポートストリームを受信した際に、ユーザにネットワークの変更を報知するための警告メッセージを表示可能なテレビジョン受像機が知られている（例えば、特許文献１参照）。しかしながら、この種のテレビジョン受像機では、主電源がオフ状態（制御用マイコンの電源がオンで、ディスプレイ等の周辺回路の電源がオフの状態）、すなわちスタンバイモードで動作しているときに、ユーザに対してネットワークの変更を報知するための警告メッセージを表示しないので、ユーザにネットワークの変更を知らせることができない。このため、ネットワークが変更されてしまった後にユーザがテレビジョン受像機の電源をオン状態にしたときに、ユーザが機器の故障であると間違った判断をしてしまうことがあり、使い勝手が悪い。
【０００３】
ところで、特許文献２には、ＮＩＴ（Ｎｅｔｗｏｒｋ  Ｉｎｆｏｒｍａｔｉｏｎ  Ｔａｂｌｅ）情報を受信し、そのバーション番号から変更が検知された場合に、新規チャンネル管理テーブルの保持情報を更新した後、セットトップボックスが保持していたＮＩＴ情報を更新するテレビジョン受像機が開示されている。しかしながら、この種のテレビジョン受像機であっても、上記問題を解決できない。
【先行技術文献】
【特許文献】
【０００４】
【特許文献１】特開２００５−６４７１９号公報
【特許文献２】特開平１１−２０５７０５号公報
【発明の概要】
【発明が解決しようとする課題】
【０００５】
本発明は、上述した問題点を解決するためになされたものであり、スタンバイモードで動作している場合であってもネットワークの変更をユーザに報知可能なテレビジョン受像機を提供することを目的とする。
【課題を解決するための手段】
【０００６】
上記目的を達成するために請求項１の発明は、放送局から配信されるデジタル放送信号を受信する受信手段と、前記受信手段によって受信されたデジタル放送信号のトランスポートストリームからＮＩＴ（Ｎｅｔｗｏｒｋ  Ｉｎｆｏｒｍａｔｉｏｎ  Ｔａｂｌｅ）情報を抽出するＮＩＴ情報抽出手段と、前記ＮＩＴ情報抽出手段によって抽出された前記ＮＩＴ情報内にネットワークの変更を通知する旨の通知情報が有るか否かを判断するネットワーク変更通知情報判断手段と、各種メッセージをユーザに報知する報知手段と、通常動作モードとスタンバイモードとを有し、装置各部を制御する制御手段とを備えるテレビジョン受像機において、前記制御手段は、前記スタンバイモードで動作している際に、前記受信手段を用いてデジタル放送信号を受信し、前記ＮＩＴ情報抽出手段を用いて前記ＮＩＴ情報を抽出した後、前記ネットワーク変更通知情報判断手段を用いて該ＮＩＴ情報内に前記通知情報が有るか否かを判断し、この判断の結果、該通知情報が有る場合、前記報知手段を用いてユーザに、ネットワークの変更を報知するものである。
【０００７】
請求項２に記載の発明は、請求項１に記載のテレビジョン受像機において、前記通知情報は、ＤＶＢ  ＳＩ（Ｄｉｇｉｔａｌ  Ｖｉｄｅｏ  Ｂｒｏａｄｃａｓｔ  Ｓｅｒｖｉｃｅ  Ｉｎｆｏｒｍａｔｉｏｎ）規格に基づく記述子である。
【０００８】
請求項３に記載の発明は、請求項１又は請求項２に記載のテレビジョン受像機において、前記報知手段は、前記テレビジョン受像機の筐体外部に露出するように設けられた発光手段であり、前記制御手段は、前記スタンバイモードで動作している際に、前記ネットワーク変更通知情報判断手段を用いて前記ＮＩＴ情報内に前記通知情報があると判断した場合、前記発光手段を点灯又は点滅させることにより、ネットワークの変更をユーザに報知するものである。
【発明の効果】
【０００９】
本発明によれば、スタンバイモードで動作している際に、受信したデジタル放送信号のＮＩＴ情報にネットワークの変更を通知する旨の通知情報が有る場合、ユーザにネットワークの変更を報知することができる。そのため、従来と異なり、ユーザが機器の故障であるという誤判断をすることを防ぐことができるので、使い勝手がよい。
【図面の簡単な説明】
【００１０】
【図１】本発明の一実施形態にＴＶ受像機の斜視図。
【図２】上記ＴＶ受像機の概略構成を示すブロック図。
【図３】上記ＴＶ受像機におけるネットワーク変更の報知処理の手順を示すフローチャート。
【発明を実施するための形態】
【００１１】
本発明の一実施形態に係るテレビジョン（以下、ＴＶという）受像機について、図１、及び図２を参照して説明する。図１は、リモコン装置２により操作されるＴＶ受像機１の外観を示し、図２は、ＴＶ受像機１の内部構成を示す。ＴＶ受像機１は、符号化されたＴＶ番組を受信して復号することにより表示する機器である。リモコン装置２は、ユーザにより操作され、ＴＶ受像機１に対して各種の動作指示を行うためのものである。
【００１２】
ＴＶ受像機１は、ＴＶ番組の映像を表示するディスプレイ１１と、ＴＶ番組の音声を出力するスピーカ１２と、ユーザに対して各種メッセージを報知するためのＬＥＤ（Ｌｉｇｈｔ  Ｅｍｉｔｔｉｎｇ  Ｄｉｏｄｅ）ユニット１３と、放送局から配信されるデジタル放送信号を受信するチューナ部（受信手段）１４とを備える。また、ＴＶ受像機１は、リモコン装置２から送信される操作信号を受信するリモコン信号受信部１５と、各種情報を記憶するメモリ１６と、装置各部を制御する制御用マイコン（制御手段）１７と、装置各部に電源を供給する電源部１８とをさらに備える。
【００１３】
リモコン装置２は、ユーザによって操作される複数のボタン２１と、ＴＶ受像機１に対してユーザによる操作に応じた操作信号を送信するための信号送信部２２とを有する。ユーザはボタン２１を操作することにより、動作モードの切り替えやチャンネルの選局等の動作指示を行うことができる。
【００１４】
ＬＥＤユニット１３は、ＴＶ受像機１の筐体外部に露出するように設けられた第１〜第３ＬＥＤ（報知手段、発光手段）１３ａ〜１３ｃを有し、後述する点灯制御部１７ｅによる制御に従って点灯や点滅を行う。
【００１５】
チューナ部１４は、例えばＭＰＥＧ−２方式やＨ．２６４方式で符号化されたＴＶ番組のデジタル放送信号を復号できるデコーダ１４ａを有し、放送局からＴＶ番組や各種情報が記載されたＮＩＴ（Ｎｅｔｗｏｒｋ  Ｉｎｆｏｒｍａｔｉｏｎ  Ｔａｂｌｅ）情報等を受信して制御用マイコン１７に出力する。デコーダ１４ａは、デジタル放送信号のトランスポートストリームに含まれる番組ストリームを映像信号及び音声信号に復号する。ＮＩＴ情報は、ＤＶＢ  ＳＩ（Ｄｉｇｉｔａｌ  Ｖｉｄｅｏ  Ｂｒｏａｄｃａｓｔ  Ｓｅｒｖｉｃｅ  Ｉｎｆｏｒｍａｔｉｏｎ）規格に基づく情報であり、「ｎｅｔｗｏｒｋ＿ｃｈａｎｇｅ＿ｎｏｔｉｆｙ＿ｄｅｓｃｒｉｐｔｏｒ」という単一ネットワークの変更イベントを警告する記述子（通知情報）を含むものである。この記述子には、変更するネットワークのＩＤや、変更が行われる時間情報等が含まれる。
【００１６】
メモリ１６は、制御用マイコン１７を動作させるためのプログラム１６ａと、受信間隔時間１６ｂとを記憶する。受信間隔時間１６ｂは、ネットワークの変更の通知情報の受信を行う時間間隔である。
【００１７】
制御用マイコン１７は、映像出力部１７ａと、音声出力部１７ｂと、ＮＩＴ情報取得部（ＮＩＴ情報抽出手段）１７ｃと、ネットワーク変更通知情報判断部（ネットワーク変更通知情報判断手段）１７ｄと、点灯制御部１７ｅとを有し、リモコン装置２から送信される操作信号の受信を待つスタンバイモードや通常動作を行う通常モードで動作する。制御用マイコン１７の動作モードは、ユーザがリモコン装置２のボタン２１を操作することにより切り替え可能である。
【００１８】
映像出力部１７ａは、チューナ部１４によって受信されたＴＶ番組の映像をディスプレイ１１に出力する。音声出力部１７ｂは、チューナ部１４によって受信されたＴＶ番組の音声をスピーカ１２に出力する。
【００１９】
ＮＩＴ情報取得部１７ｃは、チューナ部１４によって受信されたトランスポートストリームからＮＩＴ情報を取得する。ネットワーク変更通知情報判断部１７ｄは、ＮＩＴ情報取得部１７ｃによって取得されたＮＩＴ情報の内容に基づき、ネットワーク変更の有無を判断する。具体的には例えば、受信したＮＩＴ情報内の「ｎｅｔｗｏｒｋ＿ｃｈａｎｇｅ＿ｎｏｔｉｆｙ＿ｄｅｓｃｒｉｐｔｏｒ」記述子の内容が空白で無い場合、すなわち変更が行われるネットワークのＩＤ番号や、変更時間等の情報が含まれている場合に、ネットワークの変更があると判断する。
【００２０】
点灯制御部１７ｅは、ＬＥＤユニット１３の第１乃至第３ＬＥＤ１３ａ〜１３ｃのそれぞれの点灯の制御を行う。具体的には例えば、ＴＶ受像機１がスタンバイモードで動作しているときに第１ＬＥＤ１３ａを点灯させ、ＴＶ受像機１に電源が供給されているときに第２ＬＥＤ１３ｂを点灯させる。さらに点灯制御部１７ｅは、ＴＶ受像機１がスタンバイモードで動作しているときに、ネットワーク変更通知情報判断部１７ｄによってネットワークの変更の通知があると判断された場合に第３ＬＥＤ１３ｃを点灯させ、ユーザに対してその他のメッセージがある場合に第３ＬＥＤ１３ｃを点滅させる。
【００２１】
電源部１８は、ＴＶ受像機１内の装置各部と接続され、動作モードに応じた電源を供給する。具体的には例えば、電源部１８は、通常モードで動作しているときにはＴＶ受像機１の各部に電源を供給し、スタンバイモードで動作しているときにはＬＥＤユニット１３と、チューナ部１４と、制御用マイコン１７のみに電源を供給する。
【００２２】
次に、ＴＶ受像機１がスタンバイモードで動作しているときのネットワーク変更の受信処理について、図３に示すフローチャートを参照して説明する。ここでは、ユーザによってＴＶ受像機１をスタンバイモードで動作させる動作指示がされたものとする。また、受信間隔時間１６ｂには予めユーザによって設定された「スタンバイモードで動作後、２４時間毎」や「毎日午前３時」等の時間情報が記憶されているものとする。
【００２３】
まず、制御用マイコン１７は、スタンバイモードに移行して動作を行い（Ｓ１）、メモリ１６内の受信間隔時間１６ｂに記憶された時間が経過した時（Ｓ２でＹＥＳ）、チューナ部１４を用いて放送局からデジタル放送信号を受信する（Ｓ３）。そして、制御用マイコン１７は、ＮＩＴ情報取得部１７ｃを用いて、デジタル放送信号のトランスポートストリームからＮＩＴ情報を取得し（Ｓ４）、ネットワーク変更通知情報判断部１７ｄを用いて、取得したＮＩＴ情報内の「ｎｅｔｗｏｒｋ＿ｃｈａｎｇｅ＿ｎｏｔｉｆｙ＿ｄｅｓｃｒｉｐｔｏｒ」記述子に基づいて、ネットワーク変更の有無を判断する（Ｓ５）。
【００２４】
上記Ｓ５の判断の結果、ネットワークの変更がある場合、つまり上記記述子の内容が妥当である場合（Ｓ６でＹＥＳ）、点灯制御部１７ｅを用いて第３ＬＥＤ１３ｃを点灯させ（Ｓ７）、ネットワークの変更をユーザに報知する。一方、上記Ｓ５の判断の結果、ネットワークの変更が無い場合、つまり上記記述子の内容が妥当でない場合（Ｓ６でＮＯ）、上記Ｓ２以降の処理を繰り返す。
【００２５】
上述したように、本実施形態に係るＴＶ受像機１においては、スタンバイモードで動作している際に、受信したデジタル放送信号のトランスポートストリーム内のＮＩＴ情報にネットワークの変更の通知が有る場合、第３ＬＥＤ１３ｃを点灯させることにより、ユーザにネットワークの変更を報知することができる。そのため、従来と異なり、ユーザが機器の故障であるという誤判断を防ぐことができるので、使い勝手がよい。
【００２６】
また、ネットワークの変更の通知は、ＤＶＢ  ＳＩ（Ｄｉｇｉｔａｌ  Ｖｉｄｅｏ  Ｂｒｏａｄｃａｓｔ  Ｓｅｒｖｉｃｅ  Ｉｎｆｏｒｍａｔｉｏｎ）規格に基づく「ｎｅｔｗｏｒｋ＿ｃｈａｎｇｅ＿ｎｏｔｉｆｙ＿ｄｅｓｃｒｉｐｔｏｒ」記述子を用いて行われるので、独自プロトコルに対応した専用機器等の導入コストをかける必要がない。従って、ＴＶ受像機１の製造コストを抑制することができる。
【００２７】
また、第３ＬＥＤ１３ｃはＴＶ受像機１の筐体外部に露出するように設けられているので、第３ＬＥＤ１３ｃを点灯させた場合、ユーザが確実に視認することができ、使い勝手が良い。
【００２８】
なお、本発明は、上記実施形態の構成に限られず、発明の趣旨を変更しない範囲で種々の変形が可能である。例えば、上記実施形態ではネットワークの変更があると判断した場合に、第３ＬＥＤ１３ｃを点灯させることによりユーザに報知する例を示したが、これに限られず、ＬＥＤを点滅させたりスピーカから音声を出力することにより報知するものであってもよい。
【符号の説明】
【００２９】
１  ＴＶ受像機（テレビジョン受像機）
１３ｃ  第３ＬＥＤ（報知手段、発光手段）
１４  チューナ部（受信手段）
１７  制御用マイコン（制御手段）
１７ｃ  ＮＩＴ情報取得部（ＮＩＴ情報抽出手段）
１７ｄ  ネットワーク変更通知情報判断部（ネットワーク変更通知情報判断手段）
【図１】
2010283431.tif 000003
【図２】
2010283431.tif 000004
【図３】
2010283431.tif 000005